(57)【要約】  【課題】    ホースリールに巻き取られたホースの巻き終わり部分を、フレームの枠からはみ出さないように固定して、ホース巻取り状態を維持するようにしたホースリールのホースの巻き終わり部分の固定方法を提供することを課題とする。  【解決手段】    直立した２枚の側板部と前記側板部を連結する把持部とからなるフレームと、両側板部の間に回転自在に設けられホースを巻取り可能にしたドラムを備えたホースリールにおいて、前記ホースリールの構成要素によって前記フレームの内側に生じる構成要素同士の隙間を前記ドラムに巻き取ったホースの巻き終わり部分を嵌め込み固定するように構成する。【選択図】        図１
2005104644.tif 000002
【特許請求の範囲】
【請求項１】
直立した２枚の側板部と前記側板部を連結する把持部とからなるフレームと、両側板部の間に回転自在に設けられホースを巻取り可能にしたドラムを備えたホースリールにおいて、
ホースリールの構成要素によってフレームの内側に生じる構成要素同士の隙間を
ドラムに巻き取ったホースの巻き終わり部分を嵌め込み固定する空間として構成したことを特徴とするホースリールのホース固定方法。
【請求項２】
前記ホースリール構成要素同士の隙間が、
前記フレームと前記フレームの内壁面からホース直径寸法よりも狭い間隔を隔てて設けた突起との間に生じる隙間
であることを特徴とする請求項１記載のホースリールのホース固定方法。
【請求項３】
前記ホースリール構成要素同士の隙間が、
前記フレームの内壁面にホース直径寸法よりも狭い間隔を隔てて設けた一対の突起同士の間に生じる隙間
であることを特徴とする請求項１記載のホースリールのホース固定方法。
【請求項４】
前記ホースリール構成要素同士の隙間が、
前記フレームと前記ドラムとの間に生じる隙間
であることを特徴とする請求項１記載のホースリールのホース固定方法。
【請求項５】
前記ホースリール構成要素同士の隙間が、
前記フレームと前記ドラムの回転に連動しドラム軸方向に平行な送り軸上を移動しホースを整列して巻き付ける案内をするように設けたホースガイドの構成部品との間に生じる隙間
であることを特徴とする請求項１記載のホースリールのホース固定方法。
【発明の詳細な説明】
【技術分野】
【０００１】
本発明は、長尺のホースを巻取り収納するホースリールにおいて、巻取ったホースの巻き終わり部分を固定する方法に関する。尚、この場合のホースの巻き終わり部分とは、ホース端部ばかりでなく、ホース先端に取付け、ホースリールと共に使用される散水器具も含むものとして述べる。
【背景技術】
【０００２】
従来、長尺のホースを巻き取るホースリールは主に、ホースを巻き取る回転体であるドラム、ドラム回転用ハンドル、ドラムを支持するフレーム、ドラムに連結されるホースおよびホース先端に接続されるノズル等の散水用器具によって構成される。（特許文献１，２）
このような従来のホースリールにおいて、ホースを巻取った際の巻き終わり部分をホースリールに固定する方法としては、例えば、ホース先端に取付けられた散水器具の操作レバーの形状を利用して、フレーム上端部の一側端にホルダー部を形成して、ホルダー部の中空部に設けた狭窄部に、散水器具の操作レバーを先端より挿入係合させ構成している（特許文献１）。
また、フレームの上端部にノズル保持具を回動自在で、且つ固定角度を調整可能な状態にして取付けることで、ホースの先端に取付けられたノズル体の固定を容易にし、散水用途に合わせてノズル保持具の方向を変えて固定出来るようにしている（特許文献２）。
【０００３】
【特許文献１】特開2001−63924号公報
【特許文献２】実公平7−2528号公報
【０００４】
〔問題点〕
ホースの巻き終わり部分を固定する従来の方法では、ホースリールのフレーム上端部の一側端を散水器具のホルダーとして利用する場合（特許文献１）でも、ノズル保持具を取付け散水器具を固定する場合（特許文献２）でも、散水器具がフレームの枠よりはみ出した状態で固定されていた為、広いホースリール収納空間を必要とした。
また、ホースリールに別の物品、例えば掃除用具や散水器具など同じ場所に収納するものが倒れかかったり、ぶつかったりした場合に、フレームの枠からはみ出して固定されている散水器具及びノズル保持具などに直接外力が加わり、散水器具及びノズル保持具の破損を招くおそれがあった。
さらに、従来の方法では、ホース先端に取付けた散水器具によってホース先端を固定していた為、散水器具を取付けていない状況下においてはホース先端を固定することが出来なかった。その為、ホースリールを取り扱う際にホース素材の弾性により巻き取られたホースが弛んでホース巻取り状態が乱れたり、巻取り状態の乱れによりホースの引出しが困難になったりするなど、ホースリールの使用及び収納状態が悪かった。
【発明の開示】
【発明が解決しようとする課題】
【０００５】
本発明は、従来の技術における前記問題点を解消するためのものであり、そのための課題は、ホースリールに巻き取られたホースの巻き終わり部分を、フレームの枠からはみ出さないように固定し、ホース巻取り状態を維持するようにしたホースリールのホース固定方法を提供することにある。
【課題を解決するための手段】
【０００６】
前記課題を達成するため具体的に構成した本発明のホースリールのホース固定方法における第１の発明は、直立した２枚の側板部と前記側板部を連結する把持部とからなるフレームと、両側板部の間に回転自在に設けられホースを巻取り可能にしたドラムを備えたホースリールにおいて、前記ホースリールの構成要素によって前記フレームの内側に生じる構成要素同士の隙間を前記ドラムに巻き取ったホースの巻き終わり部分を嵌め込み固定する空間としたことを特徴とする。
【０００７】
また、第２の発明は、前記フレームと前記フレームの内壁面からホース直径寸法よりも狭い間隔を隔てて設けた突起との間に生じる隙間を前記ドラムに巻き取ったホースの巻き終わり部分を嵌め込み固定する空間としたことを特徴とする。
また、第３の発明は、前記フレームの内壁面にホース直径寸法よりも狭い間隔を隔てて設けた一対の突起との間に生じる隙間を前記ドラムに巻き取ったホースの巻き終わり部分を嵌め込み固定する空間としたことを特徴とする。
また、第４の発明は、前記フレームと前記ドラムとの間に生じる隙間を前記ドラムに巻き取ったホースの巻き終わり部分を嵌め込み固定する空間としたことを特徴とする。
また、第５の発明は、前記フレームと前記ドラムの回転に連動し前記ドラム軸方向に平行な送り軸上を移動しホースを整列して巻き付ける案内をするように設けたホースガイドとの間に生じる隙間を前記ドラムに巻き取ったホースの巻き終わり部分を嵌め込み固定する空間としたことを特徴とする。
【発明の効果】
【０００８】
以上のように、本発明のホースリールのホース巻き終わり部分の固定方法における第１の発明では、ホースリールの構成要素によってフレームの内側に生じる構成要素同士の隙間をドラムに巻き取ったホースの巻き終わり部分を嵌め込み固定する空間として利用したことにより、ホース固定用部品を個別に必要としない為、フレームにホースの巻き終わり部分を一体的に固定して収納することができ、収納スペースをコンパクトにできるとともに、部品コストを低く抑えることができ、構造要素の削減とコスト低減が実現できる。
また、ホースの巻き終わり部分を固定する為、ホース先端に散水器具の接続の有無に関わらずホースを固定することができ広い用途でのホースリール使用が可能である。ホースリール使用状況として、ホース先端に散水器具が取付けられている場合には、散水器具をフレーム枠内に収納できる為、ホースリールに別の物品、例えば掃除用具や散水器具など同じ場所に収納するものが倒れかかったり、ぶつかったりして外力が加わった場合でもフレームによって保護される為、散水器具の破損を極めて少なくすることができる。
【０００９】
第２の発明では、フレームとフレームの内壁面からホース直径寸法よりも狭い間隔を隔てて設けた突起により生じる隙間を巻き取ったホースの巻き終わり部分を嵌め込み固定する空間としたことによって、ホース固定用部品が削減できるばかりでなく、フレームとフレーム内に備わるホースリール構成部品との間がホースの固定に適さない場合でも、ホース固定用部品を追加することなくフレームの内側にホースを固定することが出来る。
【００１０】
第３の発明では、フレームの内側にホース直径寸法よりも狭い間隔を隔てて設けた一対の突起により生じる隙間を巻き取ったホースの巻き終わり部分を嵌め込み固定する空間としたことによって、フレームとフレーム内に備わるホースリール構成部品の形状や配置が許容する限り任意にホースを固定する箇所を設けることができる。
【００１１】
第４の発明では、フレームとドラムにより生じる隙間を巻き取ったホースの巻き終わり部分を嵌め込み固定する空間としたことによって、ホース固定用部品が削減できるばかりでなく、フレームとドラムとの間でホースを固定する為、ドラムの空転をも抑えることができ、ドラムに巻取られたホースが緩んでホース巻取り状態が乱れたり、巻取り状態の乱れによりホースの引出しが困難になったりすることを防ぐことが出来る。
【００１２】
第５の発明では、フレームとドラムの回転に連動しドラム軸方向に平行な送り軸上を移動しホースを整列して巻き付ける案内をするように設けたホースガイドにより生じる隙間を巻き取ったホースの巻き終わり部分を嵌め込み固定する空間としたことによって、ホースガイドのような付加機能を要求されるホースリールであっても、設計段階からホースの固定に必要な空間さえ適宜設けておけば、フレームサイズの増加を最低限に留めた形状で機能追加ができる。さらには、ホース固定用部品が必要ないことから、追加機能を配する為のスペースを広く使用でき、ホースリールの高機能化に寄与することができる。
【発明を実施するための最良の形態】
【００１３】
以下、本発明における実施形態ではフレームとフレームの内側にホース直径寸法よりも狭い間隔を隔てて設けた突起との間に生じる隙間をホース固定用空間として、設ける突起を薄板状のリブとした場合について図示説明する。
なお、この実施形態は、発明の趣旨をより良く理解させるため具体的に説明するものであり、特に指定のない限り、特許請求の範囲の記載事項を限定するものではない。
【００１４】
〔構成〕
この実施形態におけるホースリールは、図１に示すように、ホースを巻取るドラム１０と、ドラム１０を回動自在に軸支するように形成したフレーム２０（２０ａ，２０ｂ，２０ｃ）と、フレーム２０に軸支されたドラム１０を回転させるハンドル３０と、ホースの巻き終わり部分４０のホースの先端に散水器具４１を接続したものである。
【００１５】
フレーム２０は右フレーム２０ａと、左フレーム２０ｂと、上部のグリップカバー２０ｃとに分割して形成し、それぞれの端部に形成した凸部と凹部又は孔部とのはめ込みにより一体に形成する。
【００１６】
図２に示すように、右フレーム２０ａは、土台となる右正面側底板部２１ａ、右後面側底板部２２ａを断面形状が略台形となるように形成し、右正面側底板部２１ａの上面２１１ａ、右後面側底板部２２ａの上面２２１ａが、共にそれぞれフレームの外側に向かって低くなるように傾斜した形状とする。右正面側底板部２１ａ、右後面側底板部２２ａの先端には、左フレーム２０ｂとの嵌合部となる凹部２１２ａ、２２２ａを設ける。
【００１７】
右正面側底板部２１ａと右後面側底板部２２ａからは、フレームの側面を形成する側板部２３ａを直立し、側板部２３ａの端部を内側に折り曲げて形成される端縁２４ａを、フレームの正面部やホースリールの把持部の一部となるフレームの上部にも側板部２３ａの壁面が表れるように連続的に形成する。
側板部２３ａの内壁には、ホース固定用リブ２５ａを長手方向がドラムの回転軸に対して放射方向に向かうように立設する。ホース固定用リブ２５ａのドラム回転軸側の反対側側面がホースを固定するホース当接面２５１ａとなり、ホース当接面２５１ａ側のリブを切欠いて、ホース誘い面２５２ａを形成する。ホースの固定を確実にする為、ホース固定用リブ２５ａの高さはホース当接面２５１ａが巻き取るホースの外径の半径寸法より高く設ける。
側板部２３ａの上部には、ホースリールの把持部の一部となる把持部下面板部２６ａを形成し、左フレーム２０ｂとの嵌合部となる略矩形孔部２６１ａ、２６１ａを設ける。把持部リブ２６２ａは組立後の把持部の剛性を高める補強材として設ける。
さらに、把持部下面板部２６ａの正面側壁面を垂直に立ち上げ、正面側ホース当接部２６３ａを形成する。
【００１８】
図３の左フレーム２０ｂは、図２の右フレーム２０ａと略左右対称の形状で、土台となる左正面側底板部２１ｂ、左後面側底板部２２ｂを断面形状が略台形となるように形成し、左正面側底板部２１ｂの上面２１１ｂ、左後面側底板部２２ｂの上面２２１ｂが、共にそれぞれフレームの外側に向かって低くなるように傾斜した形状とする。左正面側底板部２１ｂ、左後面側底板部２２ｂの先端に右フレーム２０ａの凹部２１２ａ、２２２ａとの嵌合部分となる嵌合凸部２１２ｂ、２２２ｂを設ける。
【００１９】
左正面側底板部２１ｂと左後面側底板部２２ｂからは、フレームの側面を形成する側板部２３ｂを直立し、側板部２３ｂの端部を内側に折り曲げて形成される端縁２４ｂを、フレームの正面部やホースリールの把持部の一部となるフレームの上部にも側板部２３ｂの壁面が表れるように連続的に形成する。
側板部２３ｂの内壁に、ホース固定用リブ２５ｂを長手方向がドラムの回転軸に対して放射方向に向かうように立設する。ホース固定用リブ２５ｂのドラム回転軸側の反対側側面がホースを固定するホース当接面２５１ｂとなり、ホース当接面２５１ｂ側のリブを切欠いて、ホース誘い面２５２ｂを形成する。ホースの固定を確実にする為、ホース固定用リブ２５ｂの高さはホース当接面２５１ｂが巻き取るホースの外径の半径寸法より高く設ける。
側板部２３ｂの上部には、ホースリールの把持部の一部となる把持部下面板部２６ｂを形成し、右フレーム２０ａとの嵌合部となる略矩形孔部２６１ｂ、２６１ｂを設ける。把持部リブ２６２ｂは組立後の把持部の剛性を高める補強材として設ける。
さらに、把持部下面板部２６ｂの正面側壁面を垂直に立ち上げ、正面側ホース当接部２６３ｂを形成する。
【００２０】
右フレーム２０ａ、左フレーム２０ｂのそれぞれに形成した嵌合用凸部及び凹部や孔部は、嵌め込む際には左右フレームの位置決めとなり、嵌め込んだ後には嵌合部の変形防止の補強となり、嵌合部の剛性を補う。
【００２１】
図４に示すように、ドラム１０は、円筒状胴部の両端部に大きなフランジを設けた形状に形成した中央胴部１１に、右ドラムカバー１１ａと左ドラムカバー１１ｂとを中央胴部１１の両端面に外側から同心的に取付ける。左ドラムカバー１１ｂの中央部には外面側に円筒状接続端１２を突出し、内面側には板面に接続した管が軸に対して放射方向に曲げられた曲りパイプ１３を突設する。
そして、円筒状接続端１２には給水側ホース接続口１４ａを端部に形成した給水側端部材１４を左フレーム２０ｂの外方から貫通して接続し、曲りパイプ１３には放水側ホース接続口１５ａ（図示せず）を端部に形成したエルボ１５を中央胴部１１に設けた凹み部１１ｃの外面側から貫通して接続する。
ドラム１０の支持には、中央胴部１１の両端部にそれぞれ右ドラムカバー１１ａと左ドラムカバー１１ｂとを、右ドラムカバー１１ａではハンドル側接続端１６を、左ドラムカバー１１ｂでは円筒状接続端１２を外方に向けて取付け、ハンドル側接続端１６にハンドル３０の嵌合部３０ａを嵌合するとともに円筒状接続端１２に給水側端部材１４の嵌合部を嵌合して二重管構造の軸部を形成することにより、それぞれフレーム２０の軸支個所で嵌合支持される。
右ドラムカバー１１ａに形成されたハンドル側接続端１６の端部には留め輪嵌合用の溝が周設され、スナップリング状の留め輪３０ｂを嵌合することにより、軸支箇所に形成された二重管構造のハンドル側軸部が回動自在でありながら軸方向に抜けられないようにする。
【００２２】
長尺の放水側ホースをホースリールに収納する際には、放水側ホース接続口１５ａに接続された放水側ホースを、ドラム１０の中央胴部１１に放水側ホース接続口１５ａの向きに沿って中央胴部１１の外周面に巻き付けられる。放水側ホースのホースの巻き終わり部分４０には、散水器具４１がホース接続部４２によって連結される。（図５（ａ））
【００２３】
ホースリールにホースを巻き付けた後、フレームの端縁２４ｂとホース固定用リブ２５ｂの間の空間を利用して、ホースの巻き終わり部分４０に取付けられた散水器具４１を収納する。まず、散水器具４１をフレーム正面側底板部の上面２１１ａ，２１１ｂと、側板部２３ａ，２３ｂ及び、端縁２４ａ，２４ｂによって囲まれる空間に静置する。
左フレーム２０ｂの端縁２４ｂとホース固定用リブ２５ｂの間に散水器具４１のホース接続部４２近傍のホースを挟み込んで固定し、フレームの把持部正面側で垂直な壁面となっている正面側ホース当接部２６３ａ，２６３ｂにホースを当接させながら右フレーム側に渡し、右フレーム２０ａの端縁２４ａとホース固定用リブ２５ａの間に左フレーム側から渡されてきたホースを挟み込んで固定する。（図５（ａ）、（ｂ））
このとき、ドラムに巻き取られていないホースをしならせて固定し、ホース表面の摩擦抵抗を利用することでドラムの空転を防ぎ、ホースが弛まないようにする。
ホースを固定させていく手順は、上記とは逆の右フレームから正面側ホース当接部、左フレームとしても良く、ホース収納時の巻取り状況によって固定しやすい方向を選択すれば良い。
【００２４】
〔作用効果〕
このような実施形態では、ホースの巻き終わり部分４０を一方側のフレーム２０ａ（２０ｂ）の端縁２４ａ（２４ｂ）とフレーム内側のホース固定用リブ２５ａ（２５ｂ）の間に挟み、フレーム２０ａ（２０ｂ）の正面側ホース当接部２６３ａ（２６３ｂ）にホースを当接させながら他方側フレーム２０ｂ（２０ａ）に渡し、端縁２４ｂ（２４ａ）とホース固定用リブ２５ｂ（２５ａ）の間にホースを挟み込んで固定している為、ホース固定用部品が不要で、収納スペースをフレーム２０ａ，２０ｂ内に抑えられるとともに、部品コストを低くでき、構造要素の削減とコスト低減が実現できる。
また、ホース固定用の空間の一端をホース固定用リブ２５ａ，２５ｂにより構成した為、巻き取るホースの太さにとって最適な間隔になるようにホース固定用リブを設けることができる。さらに、ホース固定用リブ２５ａ，２５ｂをフレーム内側に形成した為、ホースリールの外観形状に影響を与えず、デザイン性を損なうことなくホースを固定することができる。
また、ホースの巻き終わり部分４０を固定する為、ホース先端に散水器具４１の接続の有無に関わらずフレーム２０ａ，２０ｂにホースを固定することができ広い用途でのホースリール使用が可能である。
ホースリールのホース先端に散水器具４１が取付けられている場合には、散水器具４１もフレーム２０ａ，２０ｂの枠内に収納できる為、ホースリールに別の物品が倒れかかったり、ぶつかったりして外力が加わった場合でもフレーム２０ａ，２０ｂによって保護される為、散水器具４１の破損を極めて少なくすることができる。
さらに、ホース先端に散水器具４１が取付けられていない場合でも、ホースの巻き終わり部分４０を固定するにはフレーム２０ａ，２０ｂの端縁２４とフレーム内側のホース固定用リブ２５の間にホースを挟めば良く、ホースの巻き終わり部分４０の固定を確実に行うことができる。
【００２５】
〔別態様〕
この実施の形態および実施例は、発明の趣旨を理解し易くするため具体的に説明しているが、発明内容を限定するものではないから、特に説明されていない別の態様を制限するものではなく、適宜変更しても良い。このような意味で発明の趣旨に沿う別態様を以下に示す。
【００２６】
〔第１別態様〕
前記実施形態ではフレーム２０ａ，２０ｂの端縁２４ａ，２４ｂとフレーム内側のホース固定用リブ２５ａ，２５ｂの間にホースの巻き終わり部分４０を固定したが、図６（ａ）、（ｂ）に示すようにホース固定用リブ２５ａ，２５ｂをホース直径寸法よりも狭い間隔を隔てて一対のリブ２７ａ，２７ａ、２７ｂ，２７ｂとして設け、リブ２７ａ，２７ａの間、２７ｂ，２７ｂの間をそれぞれホース固定用空間としても同様にホース固定が可能である。
【００２７】
〔第２別態様〕
これまで説明したホース固定用空間は、一方をフレーム２０ａ，２０ｂの端縁２４ａ，２４ｂとし他方をホース固定用リブ２５ａ，２５ｂとした場合と、双方ともホース固定用リブ２５ａ，２５ａと２５ｂ，２５ｂにした場合と、いずれもフレームの形状を工夫し、ホースを固定する空間として利用した。
この他に、図７（ａ）、（ｂ）に示すように、フレーム２０ａ，２０ｂの内側にホース固定用リブ２８ａ，２８ｂを設け、ドラム１０とホース固定用リブ２８ａ，２８ｂとの間に生じる隙間をホースを固定する空間としても構成できる。
ホース固定用リブ２８ａ，２８ｂは、ドラム１０から巻き取るホースの直径寸法よりも狭い間隔を隔てて設けている為、ホースリールを使用する際、ホースの巻き終わり部分４０を把持しホースを引き出す場合にはドラム１０の回転を邪魔することがない。また、ホースを収納する際にはホースの巻き終わり部分４０をドラム１０とホース固定用リブ２８ａ，２８ｂとの間に固定することができる為、ドラム１０の空転が防止されホースが弛まない。
【００２８】
〔第３別態様〕
図８は、ドラム１０の回転に連動しドラム１０の回転軸方向に移動するホースガイド５０によってホースを整列状態に巻き取るホース整列巻取り機構を備えたホースリールである。この整列巻取り機構付ホースリールの構成要素である送り軸５１やガイド軸５２をフレーム２０ａ，２０ｂの端縁２４ａ，２４ｂからホースの固定に適した間隔だけ離れた位置に配置することによって、送り軸５１と端縁２４ａ，２４ｂの間にホースを固定する空間を設けている。
このように、ホースリールのフレーム内部の構成要素の配置を利用したホース固定方法である為、付加機能を有するホースリールにも採用しやすい。
【図面の簡単な説明】
【００２９】
【図１】本発明によるホースリールのホース固定方法の実施態様を示す斜視説明図である。
【図２】同上実施態様における右フレームの内面側を示す斜視説明図である。
【図３】同上実施態様における左フレームの内面側を示す斜視説明図である。
【図４】同上実施態様におけるホースリールの構成を示す断面説明図である。
【図５】同上実施態様におけるホース固定方法の左フレーム側のホース固定状況を示す断面説明図であり、（ａ）はエルボの中心を通る垂直断面図、（ｂ）は（ａ）のＡ−Ａ断面に沿う断面説明図である。
【図６】本発明によるホースリールのホース固定方法の第１別態様を示す説明図であり、（ａ）はエルボの中心を通る垂直断面図、（ｂ）は（ａ）のＡ−Ａ断面に沿う断面説明図である。
【図７】本発明によるホースリールのホース固定方法の第２別態様を示す説明図であり、（ａ）はエルボの中心を通る垂直断面図、（ｂ）は（ａ）のＡ−Ａ断面に沿う断面説明図である。
【図８】本発明によるホースリールのホース固定方法の第３別態様であるホース整列巻取り機構が組込まれた場合のホース固定方法を示す斜視説明図である。
【図９】第３別態様におけるホース固定方法の右フレーム側のホース固定状況を示す断面説明図であり、（ａ）はホースガイドの中心を通る垂直断面図、（ｂ）は（ａ）のＡ−Ａ断面に沿う断面説明図である。
【符号の説明】
【００３０】
１０  ドラム
１１  中央胴部
１１ａ  右ドラムカバー
１１ｂ  左ドラムカバー
１１ｃ  凹み部
１２  円筒状接続端
１３  曲りパイプ
１４  給水側端部材
１４ａ  給水側ホース接続口
１５  エルボ
１５ａ  放水側ホース接続口
１６  ハンドル側接続端
２０  フレーム
２０ａ  右フレーム
２０ｂ  左フレーム
２０ｃ  グリップカバー
２１ａ、２１ｂ  正面側底板部
２１１ａ、２１１ｂ  （正面側底板部）上面
２１２ａ  （正面側底板部）凹部
２１２ｂ  （正面側底板部）凸部
２２ａ、２２ｂ  後面側底板部
２２１ａ、２２１ｂ  （後面側底板部）上面
２２２ａ  （後面側底板部）凹部
２２２ｂ  （後面側底板部）凸部
２３ａ、２３ｂ  側板部
２４ａ、２４ｂ  端縁
２５ａ、２５ｂ  ホース固定用リブ
２５１ａ、２５１ｂ  ホース当接面
２５２ａ、２５２ｂ  ホース誘い面
２６ａ、２６ｂ  把持部下面板部
２６１ａ、２６１ｂ  略矩形孔部
２６２ａ、２６２ｂ  把持部リブ
２６３ａ、２６３ｂ  正面側ホース当接部
２７ａ、２７ｂ  第１別態様のホース固定用リブ
２８ａ、２８ｂ  第２別態様のホース固定用リブ
３０  ハンドル
３０ａ  嵌合部
３０ｂ  留め輪
４０  ホースの巻き終わり部分
４１  散水器具
４２  ホース接続部
５０  ホースガイド
５１  送り軸
５２  ガイド軸
【図１】
2005104644.tif 000003
【図２】
2005104644.tif 000004
【図３】
2005104644.tif 000005
【図４】
2005104644.tif 000006
【図５】
2005104644.tif 000007
【図６】
2005104644.tif 000008
【図７】
2005104644.tif 000009
【図８】
2005104644.tif 000010
【図９】
2005104644.tif 000011